(57)【要約】【課題】照明により物体へ注意を向けさせるか、物体を美しく見えるようにすること【解決手段】少なくとも１つの第１光源からの光が前記表面上に白色光の第１照明パターンを形成し、複数の第２光源からの光が前記表面に異なるカラーの光の第２照明パターンを形成するようになっている、表面に向けて光を発生できる複数の光源を備える照明デバイスが提供される。前記第２照明パターンは、前記第１白色照明パターンを実質的に囲む。【選択図】図２Ｂ
2010503172.tif 000002
【特許請求の範囲】
【請求項１】
表面に向けて光を発生できる複数の光源を備える照明デバイスであって、この照明デバイスは、少なくとも１つの第１光源からの光が前記表面上に白色光の第１照明パターンを形成し、複数の第２光源からの光が前記表面に異なるカラーの光の第２照明パターンを形成するようになっており、よって前記第２照明パターンが前記第１白色照明パターンを実質的に囲む照明デバイス。
【請求項２】
前記少なくとも１つの光源は、前記異なるカラーの光を発生できる前記複数の第２光源によって囲まれている、請求項１に記載の照明デバイス。
【請求項３】
前記照明デバイスは、前記第１照明パターンおよび前記第２照明パターンのうちの少なくとも１つを調節するよう、前記第１光源および前記第２光源のうちの少なくとも一方を選択的に制御するコントローラを備える、請求項１に記載の照明デバイス。
【請求項４】
前記照明デバイスは、前記１つ以上の光源が前記第２カラー照明パターンの実質的に内部および／または外部にて、位置を変える照明パターンを形成するように、前記複数の第２光源のうちの１つ以上を選択的に制御する、請求項１に記載の照明デバイス。
【請求項５】
前記照明デバイスは、前記第１光源および前記第２光源のうちの少なくとも１つから発生される光を制御する少なくとも１つの光学的要素と、前記第１照明パターンおよび前記第２照明パターンのうちの少なくとも１つを調節するよう前記光学的要素を制御するコントローラとを更に備える、請求項１に記載の照明デバイス。
【請求項６】
前記照明デバイスは、前記第１照明パターンおよび前記第２照明パターンのうちの少なくとも１つの輪郭を定めるための少なくとも１つの絞りを更に備える、請求項１に記載の照明デバイス。
【請求項７】
前記第１光源および前記第２光源は、白熱ランプ、ハロゲンランプ、ＬＥＤおよび高強度放電ランプの群から選択されたものである、請求項１に記載の照明デバイス。
【請求項８】
異なるカラーの光の少なくとも１つの第２照明パターンによって囲まれた白熱光の第１照明パターンを含む照明パターン。
【請求項９】
前記第２カラー照明パターンと異なる光のカラーの照明パターンは、前記第２カラー照明パターンの内部および／または外部にて位置を変える、請求項８に記載の照明パターン。
【請求項１０】
小売店舗にある１つ以上の製品を照明するための、請求項１に記載の照明デバイスの使用法。
【発明の詳細な説明】
【技術分野】
【０００１】
本発明は、一般的には照明デバイスの分野に関し、より詳細には、物体への注意を引くように物体を強調または装飾するのに使用できる照明デバイスの分野に関する。
【背景技術】
【０００２】
過去１０年の間に、小売業者間の競争は激化しており、したがって小売業者は潜在的な顧客の注意を引くための新しい方法を求めている。製品のプレゼンテーションは顧客の購入挙動に大きな影響を与えると小売業者は認識している。製品のプレゼンテーションに影響するファクターの１つとして、これら製品を照明する態様がある。
【０００３】
小売業者の店舗とは別に消費者は、自分達の家庭内の装飾照明を評価するようにもなっている。
【０００４】
照明技術が開発された結果、受け入れ可能な価格で、小売店舗および人々の家庭で高度な照明デバイスが日々の使用に利用できるようになりつつある。
【発明の概要】
【発明が解決しようとする課題】
【０００５】
本発明の目的は、物体に注意を向けるか、または装飾的な照明を行う光効果を発生できる照明デバイスを提供することにある。
【課題を解決するための手段】
【０００６】
この目的のために、表面に向けて光を発生できる複数の光源を備える照明デバイスであって、この照明デバイスは、少なくとも１つの第１光源からの光が前記表面上に白色光の第１照明パターンを形成し、複数の第２光源からの光が前記表面に異なるカラーの光の第２照明パターンを形成するようになっており、よって前記第２照明パターンが前記第１白色照明パターンを実質的に囲む照明デバイスが提供される。
【０００７】
更に、異なるカラーの光の少なくとも１つの第２照明パターンによって囲まれた白熱光の第１照明パターンを含む照明パターンが提供される。
【０００８】
製品に白色照明パターンを向けることにより、製品は照明され、外観が自然となり、一方、第１照明パターンの光のカラーとは異なるカラーの光の周辺照明パターンは、所望する雰囲気を生じさせ、顧客の注意を引き寄せ、維持することができる。特定の物体を強調するために、部屋、例えばリビングルームでもこの照明デバイスを使用できる。一般に、照明デバイスは所望する照明パターンを発生することにより、観察者の注意を引くことができる。
【０００９】
一般に、第２照明パターンを発生する役割を果たす光のカラーは、白色以外のカラー、例えば青色、赤色、オレンジ色、黄色および緑色などを含む。しかしながら、第２照明パターンの光のカラーは、第１照明パターンの白色光とは異なる特性を有する白色光も含むことができると理解すべきである。例えば第１照明パターンを暖かい白色光の中心スポットとし、他方、第２の周辺照明パターンを冷たい白色光の光輪とすることができる。
【００１０】
請求項２に記載の照明デバイスは、光源を適当に位置決めすることにより、所望する照明パターンを発生するための実施形態を定める。
【００１１】
請求項３に記載の本発明の実施形態は、照明デバイスの照明パターンを所望するように調節できるという利点を有する。これによって異なる状況で同じ照明デバイスを使用することが可能となる。照明パターンを調節する例として、時間に応じて形状および／またはサイズを調節すること、時間に応じて第２照明パターンの光のカラーを調節する例などを挙げることができる。
【００１２】
請求項４および９に記載の発明の実施形態は、観察者の注意を高めるようにダイナミック要素で照明パターンを豊富にできるという点で有利である。
【００１３】
請求項５の照明デバイスは、第１照明パターンおよび第２照明パターンのうちの少なくとも１つを調節するための別の実施形態を定めたものである。制御可能な光学的要素として、例えば電気的に制御可能な光学的要素を挙げることができる。
【００１４】
請求項６に記載の本発明の実施形態は、絞りが第２照明パターンの良好に定められた輪郭を得ることを助けるという点で有利である。
【００１５】
上記実施形態とその要素とを組み合わせてもよいと理解すべきである。
【００１６】
本発明に係わる好ましい実施形態を略図で示す添付図面を参照すれば、本発明が詳細となろう。本発明はこれら特定の好ましい実施形態だけに決して制限されるものでないことが理解できよう。
【図面の簡単な説明】
【００１７】
【図１】本発明に係わる照明デバイスの一実施形態を示す概略図である。
【図２Ａ】本発明に係わる照明デバイスの一実施形態によって発生できる照明パターンを示す概略図である。
【図２Ｂ】本発明に係わる照明デバイスの一実施形態によって発生できる照明パターンを示す概略図である。
【図２Ｃ】本発明に係わる照明デバイスの一実施形態によって発生できる照明パターンを示す概略図である。
【図３】本発明に係わる照明デバイスの別の実施形態を示す概略図である。
【発明を実施するための形態】
【００１８】
図１は、表面Ｓに向けて光を発生できる、複数の光源を備えた照明デバイス１を略図で示す。図１における光源は、表面Ｓに白色光の第１照明パターンＩが発生されるように配置された第１光源２と、表面Ｓ上の第１照明パターンＩの白色光とは異なる光のカラーの第２照明パターンＩＩを発生する複数の光源３とを備える。
【００１９】
一般に、第２照明パターンＩＩを発生する役割を果たす光のカラーは、白色を除くカラー、例えば青色、赤色、オレンジ色、黄色、緑色などを含む。しかしながら、第２照明パターンＩＩの光のカラーは、第１照明パターンＩの白色光とは異なる特性を有する白色光も含むことができることに留意すべきである。例えば第１照明パターンＩは、暖かい白色光の中心スポットを含むことができ、他方、周辺の第２照明パターンＩＩは、冷たい白色光の光輪を含むことができる。
【００２０】
光源２、３は、基板４に配置されている。照明デバイス１は、第２カラーの照明パターンＩＩが第１の白色照明パターンＩを実質的に囲むように配置されている。これら光源２、３は、第１および／または第２照明パターンＩ、ＩＩを調節するように、コントローラ５によって制御できる。点線６によって示される少なくとも１つの絞りを使用することにより、第１照明パターンＩと第２照明パターンＩＩとの境界をより良好に定めることができる。
【００２１】
図１に示された実施形態では、第１光源２は白色光源であり、他方、第２光源３は、例えば青色光または赤色光を発生できる発光ダイオードとなっている。一実施形態では、照明デバイス１は、第２照明パターンＩＩのために実質的にすべてのカラーを発生できるように、赤色光、緑色光および青色光を発生できる光源、例えば発光ダイオードを含む。
【００２２】
したがって、表面Ｓ上に位置する製品（図示せず）を第１白色照明パターンＩによって照明し、第２の青色または赤色照明パターンＩＩで囲むことができる。これら照明パターンは、白色スポット光内の製品に対する特定の顧客の注意を高め、維持することができる。
【００２３】
図２Ａ〜２Ｃは、これら図面の頂部に第１照明パターンＩおよび第２照明パターンＩＩを示す照明パターンの例の略図である。実際にはこれら照明パターンＩ、ＩＩの輪郭は、光の散乱および発散特性の結果として、図２Ａ〜２Ｃに示されているほどシャープではない。これら図面の底部部分は第１光源２および第２光源３を含む基板４の平面図である。
【００２４】
図２Ａでは、照明デバイス１は複数の第１白色光源２を有する基板４を備え、これら白色光源２は、表面に異なるカラーの光を与えることができる複数の第２光源３によって囲まれている。種々の光源２、３の位置によって、第１の白色照明パターンＩおよび第２の周辺照明パターンＩＩが発生される。
【００２５】
図２Ｂにおいて、第１光源２および第２光源３は、基板４の上に規則的なマトリックスパターンに配置されている。コントローラ５は、光源２、３の作動および第１白色照明パターンＩの位置および形状を制御し、よって第２照明パターンＩＩを所望するように調節できる。図２Ｂでは、白色の円によって表示されている光源は、白色発光光源２であり、灰色の円は、異なるカラーの光を発生する第２発光光源３を示す。黒色の円は、作動状態にない光源を示す。したがって、円形の白色照明パターンＩは異なる光のカラーの楕円の第２照明パターンＩＩによって実質的に囲まれており、この楕円の第２照明パターンの中心点から円形の白色照明パターンが離間するように位置している。
【００２６】
図２Ｃは、コントローラ５の制御により、図２Ｂに示されているものと同じ照明デバイス１によって発生される照明パターンＩとＩＩとの別の組み合わせを示す。更に、白色光源２は、白色の円によって示されており、別の光のカラーを発生する光源３は白色の円で表示されており、黒色の円は作動していない光源を示す。白色照明パターンＩは円形であり、異なる光のカラーの照明パターンのＩＩ内の中心に位置している。更に、コントローラ５は、参照番号３Ａで示される、第２光源３のうちの一部を選択的に制御し、光源３Ａが実質的に照明パターンＩＩ内で位置を変える照明パターンＩＩＩを形成する。照明パターンＩＩ内の移動する照明パターンＩＩＩは、白色照明パターンＩ内に位置する物体（図示せず）への注意を引くことを助ける。
【００２７】
図３は、照明デバイス１の別の実施形態を示す。照明デバイスは光源２、３を制御する他に、照明パターンＩ、ＩＩを調節するよう、コントローラ５から制御できるスイッチング可能な光学要素７を備える。光学要素７は、例えば電気的に制御可能な光学要素７とすることができる。この光学要素は、特定の光源２、３が照明パターンＩ、ＩＩを生じさせることを防止するためのシャッターを含むことができる。
【００２８】
図３の照明デバイス１は、第１照明パターンＩおよび第２照明パターンＩＩのうちの少なくとも１つの輪郭を改善するための絞りを含むこともできることに留意すべきである。
【００２９】
照明デバイス１は、光源２、３だけでなく光学要素７も制御するようになっているコントローラ５を含むことができる。
【００３０】
本発明の照明デバイス１に対して使用できる光源２、３として、白熱ランプ、（可能な場合にはカラーフィルタを使用する）ハロゲンランプ、発光ダイオードまたは高強度放電ランプを挙げることができる。
【００３１】
コントローラ５は、照明パターンＩ、ＩＩ、ＩＩＩの形状およびサイズ、並びに発生される光の色合い、飽和度および明るさのうちの少なくとも１つを制御するようにできる。この光のユーザーは、第１照明パターンと第２照明パターンを互いに別々に調節できる。時間に応じて制御および調節を自動的に行うこともできる。
【００３２】
本発明の照明デバイス１により種々の照明パターンを発生できる。別の照明パターンで、例えば第１照明パターンＩおよび第２照明パターンＩＩを囲むようにできる。
【００３３】
更に、照明された表面Ｓでしか、第１照明パターンＩを囲む第２照明パターンＩＩの効果を見ることができないようにすべきである。かかる効果は、例えば強力な白色光源２によって第１照明パターンＩを発生し、よって表面Ｓ上の同じ領域内の第１光源からの光を全く見ることができないようにするか、またはほぼ見ることができないようにし、一方、第２光源３からの光を第１照明パターンＩの外側の第２照明パターンとして見ることができるようにすることによって、かかる効果を得ることもできる。
【００３４】
本発明の照明デバイス１は、フレキシブルな照明システムにより小売のテーマを変える際に果たす小売業者の潜在的なニーズを満たすものであり、この照明デバイス１は、小売業者が自分の商品に注意を向けさせ、同時に商品を美しく見えるようにすることができる。この商品は、第１の白色照明パターンＩのもとでは自然に見える。
【００３５】
請求項において、括弧内に記載した参照符号は特許請求の範囲を制限するものと見なしてはならない。「含む」、「備える」およびその連言詞の使用は特許請求の範囲に記載した要素またはステップ以外の要素またはステップが存在することを指定するものではない。また、ある要素に先行する「１つの」および「ある」なる冠詞の使用は、複数のかかる要素が存在することを否定するものではない。互いに異なる従属項に所定の手段を記載したことは、これら手段の組み合わせを有利に使用できないことを意味するものではない。
【符号の説明】
【００３６】
Ｉ−−−第１照明パターン
ＩＩ−−第２照明パターン
Ｓ−−−表面
２−−−第１光源
３−−−第２光源
５−−−コントローラ
６−−−絞り
７−−−光学的要素
【図１】
2010503172.tif 000003
【図２Ａ】
2010503172.tif 000004
【図２Ｂ】
2010503172.tif 000005
【図２Ｃ】
2010503172.tif 000006
【図３】
2010503172.tif 000007
【国際調査報告】
2010503172.tif 000008
2010503172.tif 000009
2010503172.tif 000010